(57)【要約】      （修正有）【課題】仏壇の内部スペースを有効利用することができる仏壇を提供する。【解決手段】本考案の仏壇１は、前面に開口部を有する筐体２と、筐体２内部の背面２２に複数の棚ＳＨ１〜ＳＨ６を係合できる溝Ｇを有し、溝Ｇが棚ＳＨ１〜ＳＨ６の左右方向の位置を変えることができるように左右方向に連続して延び、溝Ｇは、棚ＳＨ１〜ＳＨ６の高さ方向の位置を変えることができるように、高さ方向に複数設けられ、溝Ｇが、背面２２における左右方向で棚ＳＨ１〜ＳＨ６がスライドできるように形成されていることを特徴とする。【選択図】図１
0003202776.tif 000002
【実用新案登録請求の範囲】
【請求項１】
前面に開口部を有する筐体と、前記筐体内部の背面に複数の棚を係合できる溝を有し、前記溝が前記棚の左右方向の位置を変えることができるように左右方向に連続して延び、前記溝は、前記棚の高さ方向の位置を変えることができるように、高さ方向に複数設けられ、前記溝が、前記背面における左右方向で前記棚がスライドできるように形成されている仏壇。
【請求項２】
前記筐体内部の側面に複数の棚を係合できる溝をさらに有し、前記側面に設けられた溝が、前記棚の奥行方向の位置を変えることができるように奥行方向に連続して延び、前記棚の高さ方向の位置を変えることができるように、高さ方向に複数設けられ、前記側面に設けられた溝が、前記側面における奥行方向で前記棚がスライドできるように形成されている請求項１記載の仏壇。
【請求項３】
前面に開口部を有する筐体と、前記筐体内部の側面に複数の棚を係合できる溝を有し、前記溝が前記棚の奥行方向の位置を変えることができるように奥行方向に連続して延び、前記溝は、前記棚の高さ方向の位置を変えることができるように、高さ方向に複数設けられ、前記溝が、前記側面における奥行方向で前記棚がスライドできるように形成されている仏壇。
【請求項４】
前記仏壇が前記筐体に取り付けられる扉を有し、扉の閉鎖時に筐体内部側を向き、扉の開放時には正面側を向く扉の裏面に、前記棚が係合できる扉側溝を有し、前記扉側溝が前記棚の左右方向の位置を変えることができるように左右方向に連続して延び、前記扉側溝は、前記棚の高さ方向の位置を変えることができるように、高さ方向に複数設けられている請求項１〜３のいずれか１項に記載の仏壇。
【考案の詳細な説明】
【技術分野】
【０００１】
本考案は仏壇に関する。
【背景技術】
【０００２】
一般的な仏壇は、仏具を設置する場所に須弥壇と呼ばれるひな壇が設けられている。仏壇は通常、筐体状に形成されており、内部スペースに制約がある。そのため、仏壇内部に設けられるひな壇の場所によっては、限られた内部スペースの中で、ひな壇の場所に合わせて仏具を配置する必要がある。そのため、たとえば仏壇、気に入った仏具をお供えしようとしても、ひな壇が設けられた後の内部スペースが不足して（たとえば、上下方向のスペース、左右方向のスペースなどが足りない）、購入した仏壇の内部スペースに収まるものしかお供えをすることができない。そのため、選べる仏具の形状や大きさが制限されてしまい、自由に仏具を選ぶことができない。また、仏具以外に写真立てや花瓶、形見などを飾りたいという需要があるが、一般的な仏壇では、基本的な仏具により、仏壇内部のスペースの大半が埋まってしまい、上記アイテムは仏壇の外などに設置することになる。
【考案の概要】
【考案が解決しようとする課題】
【０００３】
そこで、本考案はかかる問題点に鑑みて、限られた仏壇の内部スペースにおいて、仏壇内部にお供えをする仏具やアイテムに応じて、棚の位置を自由に変更が可能であり、仏壇の内部スペースを有効利用することができる仏壇を提供することを目的とする。
【課題を解決するための手段】
【０００４】
本考案の仏壇は、前面に開口部を有する筐体と、前記筐体内部の背面に複数の棚を係合できる溝を有し、前記溝が前記棚の左右方向の位置を変えることができるように左右方向に連続して延び、前記溝は、前記棚の高さ方向の位置を変えることができるように、高さ方向に複数設けられ、前記溝が、前記背面における左右方向で前記棚がスライドできるように形成されていることを特徴とする。
【０００５】
また、前記筐体内部の側面に複数の棚を係合できる溝をさらに有し、前記側面に設けられた溝が、前記棚の奥行方向の位置を変えることができるように奥行方向に連続して延び、前記棚の高さ方向の位置を変えることができるように、高さ方向に複数設けられ、前記側面に設けられた溝が、前記側面における奥行方向で前記棚がスライドできるように形成されていることが好ましい。
【０００６】
また、本考案の他の態様の仏壇は、前面に開口部を有する筐体と、前記筐体内部の側面に複数の棚を係合できる溝を有し、前記溝が前記棚の奥行方向の位置を変えることができるように奥行方向に連続して延び、前記溝は、前記棚の高さ方向の位置を変えることができるように、高さ方向に複数設けられ、前記溝が、前記側面における奥行方向で前記棚がスライドできるように形成されていることを特徴とする。
【０００７】
また、上記態様の仏壇のそれぞれは、前記仏壇が前記筐体に取り付けられる扉を有し、扉の閉鎖時に筐体内部側を向き、扉の開放時には正面側を向く扉の裏面に、前記棚が係合できる扉側溝を有し、前記扉側溝が前記棚の左右方向の位置を変えることができるように左右方向に連続して延び、前記扉側溝は、前記棚の高さ方向の位置を変えることができるように、高さ方向に複数設けられていることが好ましい。
【考案の効果】
【０００８】
本考案の仏壇によれば、限られた仏壇の内部スペースにおいて、仏壇内部にお供えをする仏具やアイテムに応じて、棚の位置を自由に変更が可能であり、仏壇の内部スペースを有効利用することができる
【図面の簡単な説明】
【０００９】
【図１】本考案の一実施形態の仏壇を示す斜視図である。
【図２】図１の仏壇の正面図である。
【図３】図２のＡ−Ａ線断面図である。
【図４】図２のＢ−Ｂ線断面図である。
【図５】溝を形成するパネルを示す図３の部分拡大図である。
【図６】本考案の他の実施形態の仏壇を示す斜視図である。
【考案を実施するための形態】
【００１０】
以下、添付図面を参照し、本考案の一実施形態の仏壇を詳細に説明する。
【００１１】
＜第１実施形態＞
図１〜図３に示されるように、本実施形態の仏壇１は、前面に開口部を有する筐体２を備えている。筐体２は、図１〜図３に示されるように、前面が開放した略矩形状の筐体として形成されている。筐体２は、本実施形態では、図１〜図３に示されるように、筐体２の内部空間Ｓの底部を構成する底面２１と、筐体２の背部を構成する背面２２と、筐体２の側部を構成する一対の側面２３と、筐体２の上部を構成する天面２４とを備えている。本実施形態の仏壇１は、底面２１、背面２２、一対の側面２３、および、天面２４（本実施形態では、天面２４の下部に設けられた照明部２５に設けられた天板２５ａ（図３参照））により、筐体２の内部空間Ｓが画定されている。この筐体２の内部空間Ｓ内に、様々な仏具や、仏具以外の写真立てや花瓶、形見などが飾られる。
【００１２】
本実施形態では、仏壇１は、筐体２の底面２１の下方に１または複数の抽斗２６ａ、２６ｂ（本実施形態では、２つの抽斗２６ａ、２６ｂが設けられている）や、膳引き２７が設けられる。また、抽斗２６ａ、２６ｂや膳引き２７の他、仏壇１の筐体２内には、筐体２の内部を照らす光源を有する照明部２５、２８が設けられている。本実施形態では、筐体２の天面２４側に設けられた天面側照明部２５と、筐体の両側面２３の前方側に設けられた一対の側面側照明部２８とを有している。天面側照明部２５は、筐体２の内部を上方から照らし、側面側照明部２８は筐体の側面２３の前方側から背面２２側に向かって筐体２の内部を照らすように構成されている。側面側照明部２８は、図４に示されるように、筐体２の側面２３の内側面の前方において、上下方向に延びる光源収容部２８ａと、光源収容部２８ａに収容されたＬＥＤ等の光源２８ｂと、光源２８ｂからの光を和らげる和紙等のシート状の発光面２８ｃとを有している。本実施形態の仏壇１では、複数の照明部２５、２８を有していることにより、仏壇１の筐体２内部を、仏壇１の上部側だけでなく、前方側からも照らすことができ、後述するように筐体２内部のデザインが変更されたとしても、筐体２内部の明るさを保つことができる。
【００１３】
また、本実施形態の仏壇１は、筐体２の底面２１上に、底面２１からわずかに高くなるように設けられた壇上部２９を有している。なお、仏壇１の全体の形状や構造は図示する形状や構造に限定されるものではない。たとえば、仏壇１は、本実施形態に示されるように、複数の抽斗が設けられた台付き仏壇としてもよいし、壁掛式の仏壇としてもよい。また、本実施形態では、仏壇１の前面が開放した開放型の仏壇として示されているが、後述するように、筐体２の前面の開口部を閉鎖可能な扉を設けた、開閉式の仏壇としてもよい。また、仏壇１の大きさは、小型のものであっても、大型のものであってもよく、その大きさは特に限定されない。
【００１４】
本実施形態の仏壇１は、図１〜図３に示されるように、筐体２内部の背面２２に複数の溝Ｇを有している。溝Ｇは、筐体２内部に設けられる複数の棚ＳＨ１〜ＳＨ６（以下、単にまとめて棚ＳＨという場合がある）と係合するためのものである。本実施形態では、溝Ｇは、仏壇１の後方に向かって凹状に形成された溝として形成されている。しかし、溝Ｇは、棚ＳＨと係合して棚を支持することができれば、特にその形状や構造は限定されない。
【００１５】
溝Ｇは、図１および図２に示されるように、棚ＳＨの左右方向の位置を変えることができるように左右方向に連続して延び、背面２２における左右方向で棚ＳＨがスライドできるように形成されている。また、溝Ｇは、図１〜図３に示されるように、棚ＳＨの高さ方向（上下方向）の位置を変えることができるように、高さ方向に複数設けられている。したがって、本実施形態の仏壇１では、仏壇１の背面２２における左右方向で棚ＳＨの位置を自在に調整することができるとともに、高さ方向でも棚ＳＨの位置を変更することができる。そのため、たとえば、従来の仏壇では設置ができないような、上下方向に高さのある、大きな花瓶や仏像、また、左右方向に幅を有する仏具やアイテムなどを仏壇１の筐体２内の限られた空間内に設置しようとする場合、棚ＳＨの左右方向および／または高さ方向の位置を変更することにより、容易に対応することができる。より具体的には、仏壇１の左右方向における中央部に背の高い仏像などを配置したい場合には、中央部に設けられた棚ＳＨ１、ＳＨ６を取り外すことにより、上下方向にスペースが空くため、背の高い仏像などを置くことができる。また、背の高い仏具などを置く必要がない場合は、図１および図２に示されるように、複数の棚ＳＨ１〜ＳＨ６を溝Ｇに係合させて配置してもよいし、たとえば、棚ＳＨ１〜棚ＳＨ６のうちの一部のみを用いて異なるデザインで配置してもよいし、さらに追加の棚を設けても構わない。このように、本実施形態の仏壇１によれば、棚の左右方向の位置と高さ方向の位置の変更が自在であるため、設置する仏具に応じて複数の棚ＳＨの数や配置を変えることにより、筐体２内部のデザインのバリエーションが豊富になる。
【００１６】
また、棚ＳＨの配置を変える場合、左右方向での位置は、棚ＳＨが溝Ｇに係合したまま棚ＳＨをスライドさせることにより容易に変更が可能である。したがって、たとえば棚ＳＨ上に仏具やアイテムなどを配置した状態で、棚ＳＨを左右に少しずらしたい場合など、筐体２内部のデザインの微調整が容易になる。
【００１７】
なお、本明細書において、溝Ｇに関して「連続して延びる」とは、棚ＳＨがスライドできるように溝Ｇが左右方向で分断されることなく、棚ＳＨの左右方向の長さよりも長く延びていることをいう。なお、溝Ｇの長さは棚ＳＨがスライド可能であれば特に限定されないが、より棚ＳＨの左右方向の移動量を広く取るという観点から、溝Ｇの長さは、背面２２のほぼ全体、たとえば、６０〜１００％、より好ましくは、８０〜１００％とすることができる。
【００１８】
また、複数の溝Ｇの間の高さ方向の間隔は本実施形態では、等間隔に形成されているが、異なる間隔としてもよい。また、溝Ｇの数は特に限定されないが、棚ＳＨの配置のバリエーションを豊富にするために、より多くの溝、たとえば５以上、より好ましくは１０以上とすることができる。
【００１９】
また、本実施形態の仏壇１は、溝Ｇが、仏壇の製造時等に組み立て可能なパネルユニットＰＵにより形成されている。具体的には、１または複数の溝Ｇが形成された１または複数のパネルユニットＰＵを用意して、互いに接合可能なパネルユニットＰＵを上下方向に複数並べて接合することにより、複数の溝Ｇを有するパネルＰを形成される。これにより、複数の溝Ｇを筐体２の背面２２に設けることができる。このように、パネルユニットＰＵにより溝Ｇを設けることにより、仏壇１のデザイン等に応じて溝Ｇの数を容易に調整することができる。なお、本実施形態の仏壇１では、溝Ｇが形成されたパネルユニットＰＵにより形成されたパネルＰは、筐体２の背面２２の上下方向の中央部に設けられ、仏壇２の背面２２のデザイン性を高めている。なお、パネルＰを設ける位置は特に限定されず、背面２２の少なくとも一部に設けられていればよく、また、背面２２全体に設けられていてもよい。パネルＰ（パネルユニットＰＵ）の材料は特に限定されないが、たとえば、アルミ製とすることができる。パネルＰをアルミ等の反射板とすることにより、天面側照明部２５や側面側照明部２８からの光を反射して意匠性を高めることができる。
【００２０】
なお、本実施形態では、筐体２の背面２２の内面側にパネルＰが設けられることにより、複数の溝Ｇが形成されているが、溝Ｇは、筐体２の背面２２に直接形成しても構わない。
【００２１】
溝Ｇに係合する棚ＳＨは、本実施形態では、図１および図２に示されるように、溝Ｇの幅（溝Ｇの上下方向長さ）よりわずかに小さい厚さを有する薄板状の棚板ＳＨ１と、溝Ｇの幅よりも厚い複数の平板状の棚板ＳＨ２〜ＳＨ５と、中央部正面に奥行方向に開口を有するボックス状の棚ＳＨ６とを有している。棚板ＳＨ１は木材により形成されたものの他、ガラスやアクリル板など任意の棚板を用いることができる。棚板ＳＨ２〜ＳＨ５および棚ＳＨ６は、溝Ｇの幅よりも厚い板材から形成されているため、棚板ＳＨ２〜ＳＨ５、棚ＳＨ６の端部に、溝Ｇと係合する係合部Ｅを有している。係合部Ｅは溝Ｇに係合できる厚さとされた板状の係合部として形成されている。なお、棚ＳＨは、棚板ＳＨ１〜ＳＨ５のように板状のもの、棚ＳＨ６のようにボックス状のもの以外の、任意の形状の棚を用いることができる。また、棚ＳＨの個数は適宜変更が可能である。
【００２２】
また、本実施形態では、図２に示されるように、複数の棚ＳＨ１〜ＳＨ６を左右方向に並べて配置したときの左右方向の長さの合計が、溝Ｇの左右方向の長さと一致するように構成されている。ここで、一致するとは、わずかなクリアランスが形成されている場合（たとえば、棚ＳＨ１〜ＳＨ６の左右方向の長さの合計が、溝Ｇの長さの９５〜９８％以上）を含む。このように、複数の棚ＳＨ１〜ＳＨ６を左右方向に並べて配置したときの左右方向の長さの合計が溝Ｇの長さと一致することにより、棚ＳＨを設置したときの見栄えが良くなるだけでなく、棚ＳＨが安定して設置される。
【００２３】
＜第２実施形態＞
つぎに、第２実施形態の仏壇１０について説明する。第２実施形態の仏壇１０は、筐体２の側面２３にも溝Ｇが形成されている点で第１実施形態と異なる。以下、第１実施形態と共通する部分については説明を省略し、第１実施形態との相違点を中心に説明する。
【００２４】
図６に示されるように、本実施形態の仏壇１０は、前面に開口部を有する筐体２を備えている。筐体２は、図６に示されるように、前面が開放した略矩形状の筐体として形成されている。筐体２は、本実施形態では、図６に示されるように、筐体２の内部空間Ｓの底部を構成する底面２１と、筐体２の背部を構成する背面２２と、筐体２の側部を構成する一対の側面２３と、筐体２の上部を構成する天面２４とを備えている。本実施形態の仏壇１０は、底面２１、背面２２、一対の側面２３、および、天面２４により、筐体２の内部空間Ｓが画定されている。また、本実施形態では、仏壇１０は、筐体２の前面の開口部を開閉可能な扉３１、３２を有している。扉３１、３２はたとえばヒンジＨにより筐体２の側面２３に取り付けられている。
【００２５】
本実施形態の仏壇１０は、図６に示されるように、筐体２内部の背面２２および側面２３に複数の溝Ｇを有している。背面２２に設けられた溝Ｇは、図６に示されるように、棚ＳＨの左右方向の位置を変えることができるように左右方向に連続して延びている。また、側面２３に設けられた溝Ｇは、図６に示されるように、棚ＳＨの奥行方向の位置を変えることができるように奥行方向に連続して延びている。これにより、仏壇１０は、棚ＳＨが、背面２２における左右方向で、側面２３における奥行方向で、スライドできるように構成されている。側面２３に設けられる溝Ｇは、一対の側面２３のうちの少なくとも一方に設けられていればよいが、一対の側面２３の両方に設けられることが好ましい。なお、本実施形態では、簡略化する目的で棚ＳＨの図示は省略している。棚ＳＨは第１実施形態で説明したものと同様の棚を用いることができる。
【００２６】
また、溝Ｇは、図６に示されるように、棚ＳＨの高さ方向の位置を変えることができるように、高さ方向に複数設けられている。したがって、本実施形態の仏壇１０では、第１実施形態で説明した効果に加えて、仏壇１０の背面２２における左右方向および側面２３における奥行方向の両方で、棚ＳＨの位置を自在に調整することができるとともに、高さ方向でも棚ＳＨの位置を変更することができる。そのため、棚ＳＨの配置の自由度がより高まり、仏壇１０の筐体２内部への仏具やアイテムの設置の自由度を高めることができる。
【００２７】
なお、溝Ｇの長さは棚ＳＨがスライド可能であれば特に限定されないが、より棚ＳＨの左右方向および奥行方向の移動量を広く取るという観点から、背面２２における溝Ｇの長さは、背面２２のほぼ全体、たとえば、６０〜１００％、より好ましくは、８０〜１００％とすることができ、側面２３においては、側面２３のほぼ全体、たとえば、６０〜１００％、より好ましくは、８０〜１００％とすることができる。
【００２８】
また、本実施形態の仏壇１０は、筐体２の背面２２および側面２３の両方に溝Ｇが形成されている。したがって、棚ＳＨを背面２２の溝Ｇと側面２３の溝Ｇとの両方に係合できるように構成し、筐体２内部のコーナー部（背面２２と側面２３とが接合させるコーナー部）に、背面２２の溝Ｇおよび側面２３の溝Ｇの両方に跨った棚ＳＨを設けることができる。この場合、棚ＳＨが１つの溝Ｇによる片持ち式ではなく、２つの溝Ｇにより支持されるため、耐荷重性能が向上し、重い仏具なども安定して支持することができる。
【００２９】
また、本実施形態の仏壇１０には、図６に示されるように、扉３１、３２の裏面Ｂにも扉側溝Ｇ２を設けても構わない。なお、扉３１、３２の裏面Ｂは、扉３１、３２の閉鎖時に筐体２内部側を向き、扉３１、３２の開放時には図６に示されるように正面側を向く面をいう。扉側溝Ｇ２は、棚ＳＨの左右方向の位置を変えることができるように左右方向に連続して延び、扉側溝Ｇ２は、棚ＳＨの高さ方向の位置を変えることができるように、高さ方向に複数設けられている。このように扉３１、３２の裏面Ｂに、扉側溝Ｇ２を設けることにより、図６に示される扉３１、３２の開放時に、扉側溝Ｇ２に棚ＳＨを取り付けることにより、仏壇１０の筐体２内に収まりきらない仏具やアイテムなどを扉３１、３２に取り付けた棚ＳＨ上に設置することができる。したがって、比較的小さな仏壇であっても、多くの仏具やアイテムを飾ることができ、かつ、棚ＳＨの位置の変更が可能となる。
【００３０】
なお、上記実施形態では、背面に溝が設けられた仏壇、および、背面と側面に溝が設けられた仏壇を示したが、溝は仏壇の筐体の側面だけに設けられていても良い。
【符号の説明】
【００３１】
１、１０  仏壇
２  筐体
２１  底面
２２  背面
２３  側面
２４  天面
２５  天面側照明部
２５ａ  天板
２６ａ、２６ｂ  抽斗
２７  膳引き
２８  側面側照明部
２８ａ  光源収容部
２８ｂ  光源
２８ｃ  発光面
２９  壇上部
３１、３２  扉
Ｂ  扉の裏面
Ｅ  係合部
Ｇ  溝
Ｇ２  扉側溝
Ｈ  ヒンジ
Ｓ  内部空間
ＳＨ、ＳＨ１、ＳＨ２、ＳＨ３、ＳＨ４、ＳＨ５、ＳＨ６  棚
Ｐ  パネル
ＰＵ  パネルユニット
【図１】
0003202776.tif 000003
【図２】
0003202776.tif 000004
【図３】
0003202776.tif 000005
【図４】
0003202776.tif 000006
【図５】
0003202776.tif 000007
【図６】
0003202776.tif 000008